【手続補正書】
【提出日】平成24年6月22日(2012.6.22)
【手続補正１】
【補正対象書類名】特許請求の範囲
【補正対象項目名】全文
【補正方法】変更
【補正の内容】
【特許請求の範囲】
【請求項１】
シートを搬送するシート搬送部と、
前記シート搬送部により搬送される前記シートの消色性着色剤により画像形成された画像の色を消す消色部と、
前記消色部にて消色処理を施されたシート枚数を求め、前記消色処理を施されたシート枚数に規定の係数を乗算して算出される環境負荷貢献率を求める貢献率算出部と、
前記貢献率算出部にて算出される環境負荷貢献率を、表示部にて表示させる表示制御部と、
を備える消色装置。
【請求項２】
請求項１の装置において、
前記表示制御部は、前記環境負荷貢献率を、所定のインジケータ領域を所定の画像によって指し示すことにより表示する消色装置。
【請求項３】
請求項２の装置において、
前記表示制御部は、前記環境負荷貢献率を、ＣＯ２排出量に応じて増減することが想定される所定の変動因子の増減量に基づいて表示する消色装置。
【請求項４】
請求項１の装置において、
前記表示制御部は、消色処理を行ったことにより環境への貢献度を示す木の本数の値によって環境負荷貢献率を表し、消色処理開始前は木の本数をゼロとし消色処理の開始にともないリアルタイムに更新表示してゆく消色装置。
【請求項５】
請求項１の装置において、
前記消色装置における消色処理の実行を指示するユーザの識別情報を取得する識別情報取得部と、
消色処理の実行を指示したユーザの識別情報と、前記貢献率算出部にて算出される環境負荷貢献率を示す情報とを対応づけて記憶する記憶部とをさらに備え、
前記表示制御部は、前記識別情報取得部にて前記識別情報を取得した場合に、前記記憶部に記憶される前記貢献率算出部にて算出される環境負荷貢献率を示す情報の、前記識別情報のユーザに対応する集計結果を、前記表示部にて表示させる消色装置。
【請求項６】
請求項５の装置において、
前記記憶部は、消色処理の実行日と、前記貢献率算出部にて算出される環境負荷貢献率を示す情報とを対応づけて記憶し、
ユーザの操作入力を受け付ける操作入力部をさらに備え、
前記表示制御部は、消色処理の実行日に関する情報に基づく、前記記憶部に記憶される前記貢献率算出部にて算出される環境負荷貢献率を示す情報の、互いに異なる複数の期間のいずれかを単位期間とする集計結果の表示要求を前記操作入力部にて受け付けた場合に、前記集計結果を前記表示部にて表示させる消色装置。
【請求項７】
消色性着色剤により画像形成されたシートの画像の色を消す消色部と、搬送される前記シートを読み取り画像を取得する読取部と、を有し、取得した画像に基づいて、前記シートが再利用可能か否かを判断する消色装置と接続する制御装置であって、
前記消色部にて消色処理を施されたシート枚数を求め、前記消色処理を施されたシート枚数に規定の係数を乗算して算出される環境負荷貢献率を求める貢献率算出部と、
前記貢献率算出部にて算出される環境負荷貢献率を、表示部にて表示させる表示制御部と、
を備える制御装置。
【請求項８】
請求項７の装置において、
前記表示制御部は、前記環境負荷貢献率を、所定のインジケータ領域を所定の画像によって指し示すことにより表示する制御装置。
【請求項９】
請求項８の装置において、
前記表示制御部は、前記環境負荷貢献率を、ＣＯ２排出量に応じて増減することが想定される所定の変動因子の増減量に基づいて表示する制御装置。
【請求項１０】
請求項７の装置において、
前記表示制御部は、消色処理を行ったことにより環境への貢献度を示す木の本数の値によって環境負荷貢献率を表し、消色処理開始前は木の本数をゼロとし消色処理の開始にともないリアルタイムに更新表示してゆく制御装置。
【請求項１１】
消色性着色剤により画像形成されたシートの画像の色を消す消色部と、搬送される前記シートを読み取り画像を取得する読取部と、を有する消色装置で処理したシートの処理情報を表示部に表示する表示方法であって、
前記消色部にて消色処理を施されたシート枚数を求め、前記消色処理を施されたシート枚数に規定の係数を乗算して算出される環境負荷貢献率を求め、
算出される環境負荷貢献率を、表示部にて表示させる表示方法。
【請求項１２】
請求項１１の方法において、
前記環境負荷貢献率を、所定のインジケータ領域を所定の画像によって指し示すことにより表示する表示方法。
【請求項１３】
請求項１２の方法において、
前記環境負荷貢献率を、ＣＯ２排出量に応じて増減することが想定される所定の変動因子の増減量に基づいて表示する表示方法。
【請求項１４】
請求項１１の方法において、
消色処理を行ったことにより環境への貢献度を示す木の本数の値によって環境負荷貢献率を表し、消色処理開始前は木の本数をゼロとし消色処理の開始にともないリアルタイムに更新表示してゆく表示方法。
【手続補正２】
【補正対象書類名】明細書
【補正対象項目名】発明の名称
【補正方法】変更
【補正の内容】
【発明の名称】消色装置、制御装置、表示方法
【手続補正３】
【補正対象書類名】明細書
【補正対象項目名】０００５
【補正方法】変更
【補正の内容】
【０００５】
上記課題を解決するため、一般に、実施形態によれば、消色装置は、シート搬送部と、消色部と、貢献率算出部と、表示制御部と、をもつ。シート搬送部は、シートを搬送する。消色部は、前記シート搬送部により搬送される前記シートの消色性着色剤により画像形成された画像の色を消す。貢献率算出部は、前記消色部にて消色処理を施されたシート枚数を求め、前記消色処理を施されたシート枚数に規定の係数を乗算して算出される環境負荷貢献率を求める。表示制御部は、前記貢献率算出部にて算出される環境負荷貢献率を、表示部にて表示させる。
【手続補正４】
【補正対象書類名】明細書
【補正対象項目名】０００９
【補正方法】変更
【補正の内容】
【０００９】
消色装置Ｅは、いわゆる消色性トナーや消色性インク等の「消色性着色剤」により画像を形成されたシートに対して、当該消色性着色剤の色を消す「消色処理」を施す。
図１および図２に示すように、第１の実施の形態による消色装置Ｅは、ＰＲＯＣＥＳＳＯＲ８０１、ＡＳＩＣ（Application Specific Integrated Circuit）８０２、ＭＥＭＯＲＹ８０３（記憶部に相当）、ＨＤＤ（Hard Disk Drive）８０４（記憶部に相当）、 表示部８０５ａ、タッチパネル（touch panel）式操作部８０５ｂ（操作入力部に相当）、ボタン式操作部８０６（操作入力部に相当）、ＩＣカードリーダ８０７、供給カセット５０５および５０６、排出カセット５０１および５０２、リジェクトボックス５０９、を備えている。
【手続補正５】
【補正対象書類名】明細書
【補正対象項目名】００３１
【補正方法】変更
【補正の内容】
【００３１】
なお、ここでの「消色処理を実行できない（再利用できない）理由」の具体例としては、たとえば、
（１）シート上に消し残りの画像がある（ボールペン等の消色できない筆記具により記入されている場合など）
（２）シートに折れや破れがある
（３）シートが束になっている（シート束がステイプルされている場合など）
（４）シートに残留物がある（シートに付箋が貼り付けられている場合など）
といったものが挙げられる。
【手続補正６】
【補正対象書類名】明細書
【補正対象項目名】００４９
【補正方法】変更
【補正の内容】
【００４９】
（５）．（４）の装置において、
前記表示制御部は、前記消色可否判定部における判定結果に基づいて、前記複数の消色処理を実行できない理由それぞれにより消色処理を実行できないと判定されたシート枚数を、前記複数の消色処理を実行できない理由それぞれと対応付けて前記ディスプレイにて画面表示させる消色装置。
（６）．（４）の装置において、
前記表示制御部は、前記消色可否判定部にて判定される消色処理を実行できない理由に対応づけて、前記理由に基づく消色処理を実行できない状態を改善するための所定のアドバイス内容を前記ディスプレイに画面表示させる消色装置。
【手続補正７】
【補正対象書類名】明細書
【補正対象項目名】００６４
【補正方法】変更
【補正の内容】
【００６４】
（４）．（１）の装置において、
前記消色可否判定部は、検知対象となったシートが前記消色処理部における消色処理を実行できないものである場合に、前記画像読取部および前記厚さセンサの内の少なくともいずれかにおける検知結果に基づいて、消色処理を実行できない理由が、複数の所定の理由の内のいずれかに該当するかを判定する消色装置。
（５）．（４）の装置において、
前記表示制御部は、前記消色可否判定部における判定結果に基づいて、前記複数の消色処理を実行できない理由それぞれにより消色処理を実行できないと判定されたシート枚数を、前記複数の消色処理を実行できない理由それぞれと対応付けて前記ディスプレイにて画面表示させる消色装置。
（６）．（４）の装置において、
前記表示制御部は、前記消色可否判定部にて判定される消色処理を実行できない理由に対応づけて、前記理由に基づく消色処理を実行できない状態を改善するための所定のアドバイス内容を前記ディスプレイに画面表示させる消色装置。